(57)【要約】  逆拡散部１０４は、Ａ／Ｄ変換後のパスタイミング情報をＲＦ部１０２からの信号の指定符号にて逆拡散を行い、ＴＰＣ判定部１０６は逆拡散処理後の信号から基地局ごとのＴＰＣのシンボルデータと同じ時間軸上でチャネル推定を実施済みのＣＰＩＣＨのシンボルデータが正しいシンボル位置の場合、有効ＴＰＣデータとし、送信電力制御部１０７はＲＦ部１０２における送信電力をＴＰＣ結果に沿う送信電力に制御する。
2007099699.tif 000002
【特許請求の範囲】
【請求項１】
複数の基地局からＴＰＣとＣＰＩＣＨとを内包している信号を無線受信するとともに、可変自在な送信電力で信号を前記基地局に無線送信する、通信端末装置の無線通信システムであって、
受信信号からパスタイミングのタイミング情報を検出する検出手段と、
検出された前記タイミング情報と前記受信信号に対応して指定される符号とに基づいて前記受信信号を逆拡散する逆拡散手段と、
逆拡散された前記受信信号から、前記基地局ごとの前記ＴＰＣのシンボルデータと同じ時間軸上でのチャネル推定により、前記ＣＰＩＣＨのシンボルデータを抽出する合成手段と、
抽出された前記ＣＰＩＣＨのシンボルデータが所定の判定領域にあるかにより対応する前記ＴＰＣが有効か無効かを判定する判定手段と、
有効と判定された前記ＴＰＣに対応して前記送信電力を制御する送信電力制御手段と、
を備えることを特徴とする無線通信システム。
【請求項２】
複数の基地局からＴＰＣとＤＰＣＨとを内包している信号を無線受信するとともに、可変自在な送信電力で信号を前記基地局に無線送信する、通信端末装置の無線通信システムであって、
受信信号からパスタイミングのタイミング情報を検出する検出手段と、
検出された前記タイミング情報と前記受信信号に対応して指定される符号とに基づいて前記受信信号を逆拡散する逆拡散手段と、
逆拡散された前記受信信号から、前記基地局ごとの前記ＴＰＣのシンボルデータと同じ時間軸上でのチャネル推定により、前記ＤＰＣＨのパイロットシンボルを抽出する合成手段と、
抽出された前記ＤＰＣＨのパイロットシンボルが所定の判定領域にあるかにより対応する前記ＴＰＣが有効か無効かを判定する判定手段と、
有効と判定された前記ＴＰＣに対応して前記送信電力を制御する送信電力制御手段と、
を備えることを特徴とする無線通信システム。
【請求項３】
前記送信電力制御手段は、無効と判定された前記ＴＰＣを前記送信電力の制御に使用しないことを特徴とする請求項１または２記載の無線通信システム。
【請求項４】
前記判定手段は、前記ＴＰＣが無効と判定された場合、前記判定領域を段階的に広げることを特徴とする請求項１ないし３の何れか一項に記載の無線通信システム。
【請求項５】
前記判定手段は、複数の前記基地局の前記ＴＰＣの全部が無効と判定された場合、全部の前記ＴＰＣを有効とすることを特徴とする請求項１ないし３の何れか一項に記載の無線通信システム。
【請求項６】
複数の基地局からＴＰＣとＤＰＣＨとを内包している信号を無線受信するとともに、可変自在な送信電力で信号を前記基地局に無線送信する、通信端末装置であって、
請求項１ないし５の何れか一項に記載の無線通信システムを有することを特徴とする通信端末装置。
【請求項７】
複数の基地局からＴＰＣとＣＰＩＣＨとを内包している信号を無線受信するとともに、可変自在な送信電力で信号を前記基地局に無線送信する、通信端末装置の無線通信方法であって、
受信信号からパスタイミングのタイミング情報を検出し、
検出された前記タイミング情報と前記受信信号に対応して指定される符号とに基づいて前記受信信号を逆拡散し、
逆拡散された前記受信信号から、前記基地局ごとの前記ＴＰＣのシンボルデータと同じ時間軸上でのチャネル推定により、前記ＣＰＩＣＨのシンボルデータを抽出し、
抽出された前記ＣＰＩＣＨのシンボルデータが所定の判定領域にあるかにより対応する前記ＴＰＣが有効か無効かを判定し、
有効と判定された前記ＴＰＣに対応して前記送信電力を制御することを特徴とする無線通信方法。
【請求項８】
複数の基地局からＴＰＣとＤＰＣＨとを内包している信号を無線受信し、可変自在な送信電力で信号を前記基地局に無線送信する、通信端末装置の無線通信方法であって、
受信信号からパスタイミングのタイミング情報を検出し、
検出された前記タイミング情報と前記受信信号に対応して指定される符号とに基づいて前記受信信号を逆拡散し、
逆拡散された前記受信信号から、前記基地局ごとの前記ＴＰＣのシンボルデータと同じ時間軸上でのチャネル推定により、前記ＤＰＣＨのパイロットシンボルを抽出し、
抽出された前記ＤＰＣＨのパイロットシンボルが所定の判定領域にあるかにより対応する前記ＴＰＣが有効か無効かを判定し、
有効と判定された前記ＴＰＣに対応して前記送信電力を制御することを特徴とする無線通信方法。
【請求項９】
複数の基地局からＴＰＣとＣＰＩＣＨとを内包している信号を無線受信するとともに、可変自在な送信電力で信号を前記基地局に無線送信する、通信端末装置のためのコンピュータプログラムであって、
受信信号からパスタイミングのタイミング情報を検出する検出処理と、
検出された前記タイミング情報と前記受信信号に対応して指定される符号とに基づいて前記受信信号を逆拡散する逆拡散処理と、
逆拡散された前記受信信号から、前記基地局ごとの前記ＴＰＣのシンボルデータと同じ時間軸上でのチャネル推定により、前記ＣＰＩＣＨのシンボルデータを抽出する合成処理と、
抽出された前記ＣＰＩＣＨのシンボルデータが所定の判定領域にあるかにより対応する前記ＴＰＣが有効か無効かを判定する判定処理と、
有効と判定された前記ＴＰＣに対応して前記送信電力を制御する送信電力制御処理と、
を前記通信端末装置に実行させるコンピュータプログラム。
【請求項１０】
複数の基地局からＴＰＣとＤＰＣＨとを内包している信号を無線受信するとともに、可変自在な送信電力で信号を前記基地局に無線送信する、通信端末装置のためのコンピュータプログラムであって、
受信信号からパスタイミングのタイミング情報を検出する検出処理と、
検出された前記タイミング情報と前記受信信号に対応して指定される符号とに基づいて前記受信信号を逆拡散する逆拡散処理と、
逆拡散された前記受信信号から、前記基地局ごとの前記ＴＰＣのシンボルデータと同じ時間軸上でのチャネル推定により、前記ＤＰＣＨのパイロットシンボルを抽出する合成処理と、
抽出された前記ＤＰＣＨのパイロットシンボルが所定の判定領域にあるかにより対応する前記ＴＰＣが有効か無効かを判定する判定処理と、
有効と判定された前記ＴＰＣに対応して前記送信電力を制御する送信電力制御処理と、
を前記通信端末装置に実行させるコンピュータプログラム。
【請求項１１】
受信した信号に対してＡ／Ｄ変換を行う変換手段と、
Ａ／Ｄ変換後の信号を所定の回路に入力し正しいパスタイミングを検出し、そのタイミング情報を逆拡散手段に通知する検出手段と。
受け付けたタイミング情報をもとにして、前記変換手段からの信号に対して指定された符号にて逆拡散を行う前記逆拡散手段と、
該逆拡散処理後の信号から基地局ごとのＴＰＣのシンボルデータと同じ時間軸上でチャネル推定を実施済みのＣＰＩＣＨのシンボルデータを判定手段に送る合成手段と、
受け付けたＣＰＩＣＨのシンボルデータが正しいシンボル位置にいるかを判定し、正しい位置にいる場合のみ有効ＴＰＣデータとして判断する前記判定手段と、
前記変換手段における送信電力を、前記判定手段から受け付けた前記判定手段により決定されたＴＰＣ結果に沿った送信電力となるように制御する送信電力制御手段と、
を備えることを特徴とする無線通信システム。
【請求項１２】
ＣＰＩＣＨ有効性が低い場合、有効とする判定領域を段階的に広げていくことを特徴とする請求項１１記載の無線通信システム。
【請求項１３】
前記判定手段が、ＴＰＣ有効性を無効とした場合その基地局からのＴＰＣを送信電力の制御判断に使用しないことを特徴とする請求項１１または１２記載の無線通信システム。
【請求項１４】
前記判定手段が、すべてのＴＰＣが無効と判断した場合、対象基地局から送信されるすべてのＴＰＣを有効とすることを特徴とする請求項１１から１３のいずれか一項に記載の無線通信システム。
【請求項１５】
前記ＣＰＩＣＨでの判定はすべてＤＰＣＨのｐｉｌｏｔシンボルに置き換えることを特徴とする請求項１１から１４のいずれか一項に記載の無線通信システム。
【請求項１６】
変換手段が受信した信号に対してＡ／Ｄ変換を行うステップと、
検出手段がＡ／Ｄ変換後の信号を所定の回路に入力し正しいパスタイミングを検出し、そのタイミング情報を逆拡散手段に通知するステップと。
前記逆拡散手段が受け付けたタイミング情報をもとにして、前記変換手段からの信号に対して指定された符号にて逆拡散を行うステップと、
合成手段が該逆拡散処理後の信号から基地局ごとのＴＰＣのシンボルデータと同じ時間軸上でチャネル推定を実施済みのＣＰＩＣＨのシンボルデータを判定手段に送るステップと、
前記判定手段が受け付けたＣＰＩＣＨのシンボルデータが正しいシンボル位置にいるかを判定し、正しい位置にいる場合のみ有効ＴＰＣデータとして判断するステップと、
送信電力制御手段が前記変換手段における送信電力を、前記判定手段から受け付けた前記判定手段により決定されたＴＰＣ結果に沿った送信電力となるように制御するステップと、
を有することを特徴とする送信電力制御方法。
【請求項１７】
ＣＰＩＣＨ有効性が低い場合、有効とする判定領域を段階的に広げていくことを特徴とする請求項１６記載の送信電力制御方法。
【請求項１８】
前記判定手段が、ＴＰＣ有効性を無効とした場合その基地局からのＴＰＣを送信電力の制御判断に使用しないことを特徴とする請求項１６または１７記載の送信電力制御方法。
【請求項１９】
前記判定手段が、すべてのＴＰＣが無効と判断した場合、対象基地局から送信されるすべてのＴＰＣを有効とすることを特徴とする請求項１６から１８のいずれか一項に記載の送信電力制御方法。
【請求項２０】
前記ＣＰＩＣＨでの判定はすべてＤＰＣＨのｐｉｌｏｔシンボルに置き換えることを特徴とする請求項１６から１９のいずれか一項に記載の送信電力制御方法。
【請求項２１】
コンピュータに、請求項１１から１５のいずれか一項に記載の機能を実現する処理を実行させるプログラム。
【発明の詳細な説明】
【技術分野】
【０００１】
本発明は、送信電力制御信号の信頼性を判断して電力制御を行い、基地局が期待しない電力制御とならないように制御する技術に関する。
【背景技術】
【０００２】
ＣＤＭＡ（Code Division Multiple Access）方式の通信ではその性質上、通信端末装置の送信電力を上げ過ぎると他ユーザーの送信信号に対して大きな干渉となってしまい、逆に低すぎると他の通信端末装置の干渉に埋もれてしまい、送信先である基地局へ信号を送ることができなくなってしまう。【０００３】
そのため、基地局側にて各通信端末装置からの信号を受信できるように送信電力制御信号（以下、「ＴＰＣ(Transmitter
Power Control)」という）を用いて適切に送信電力を制御することで通信を行っている。【０００４】
ここで、受信シンボル中のパイロットシンボルの受信品質測定結果と受信品質目標値との比較結果に基づいて送信電力制御を行い、パイロットシンボル以外のシンボルの受信誤りを検出した場合に、受信品質目標値を増加させる制御を行う受信側の通信装置が、たとえば、既知のパイロットシンボルパターンに基づいて前記パイロットシンボルの受信誤りを検出するパイロットシンボル受信誤り検出部と、受信品質の比較結果に基づく送信電力制御に加えて、さらにパイロットシンボルの受信誤りの検出結果に基づいて送信電力制御を行う上りＴＰＣシンボル生成部を備えることで、平均送信電力を低減する技術が提案されている（例えば、特許文献１参照）。
【特許文献１】特開２００５−３２８３５５号公報
【発明の開示】
【発明が解決しようとする課題】
【０００５】
しかしながら、上述した従来例においては次のような問題点があった。【０００６】
ＴＰＣには通常のシンボルデータと異なり、受信データの誤りを検出する手段が無いため、仮にＴＰＣシンボルが誤っていたとしてもそのまま電力制御を行ってしまい、この現象が続いてしまうと接続時の維持や他ユーザーへの大きな干渉となってしまう可能性があった。【０００７】
本発明は、以上説明した事情に鑑みてなされたものであり、その目的は、基地局から送られるＴＰＣの信頼性を判断する材料として、同じ時間軸上に存在する共通パイロットチャネル（以下、「ＣＰＩＣＨ(common pilot channel)」という）のシンボル位置が正しいシンボル位置にいることを確認することによりＴＰＣの信頼性を判断して電力制御を行い、基地局が期待しない電力制御とならないように制御することにある。
【課題を解決するための手段】
【０００８】
本発明の第一の無線通信システムは、複数の基地局からＴＰＣとＣＰＩＣＨとを内包している信号を無線受信するとともに、可変自在な送信電力で信号を基地局に無線送信する、通信端末装置の無線通信システムであって、受信信号からパスタイミングのタイミング情報を検出する検出手段と、検出されたタイミング情報と受信信号に対応して指定される符号とに基づいて受信信号を逆拡散する逆拡散手段と、逆拡散された受信信号から、基地局ごとのＴＰＣのシンボルデータと同じ時間軸上でのチャネル推定により、ＣＰＩＣＨのシンボルデータを抽出する合成手段と、抽出されたＣＰＩＣＨのシンボルデータが所定の判定領域にあるかにより対応するＴＰＣが有効か無効かを判定する判定手段と、有効と判定されたＴＰＣに対応して送信電力を制御する送信電力制御手段と、を備える。【０００９】
本発明の第二の無線通信システムは、複数の基地局からＴＰＣとＤＰＣＨとを内包している信号を無線受信するとともに、可変自在な送信電力で信号を基地局に無線送信する、通信端末装置の無線通信システムであって、受信信号からパスタイミングのタイミング情報を検出する検出手段と、検出されたタイミング情報と受信信号に対応して指定される符号とに基づいて受信信号を逆拡散する逆拡散手段と、逆拡散された受信信号から、基地局ごとのＴＰＣのシンボルデータと同じ時間軸上でのチャネル推定により、ＤＰＣＨのパイロットシンボルを抽出する合成手段と、抽出されたＤＰＣＨのパイロットシンボルが所定の判定領域にあるかにより対応するＴＰＣが有効か無効かを判定する判定手段と、有効と判定されたＴＰＣに対応して送信電力を制御する送信電力制御手段と、を備えることを特徴とする無線通信システム。【００１０】
本発明の第三の無線通信システムは、受信した信号に対してＡ／Ｄ変換を行う変換手段と、Ａ／Ｄ変換後の信号を所定の回路に入力し正しいパスタイミングを検出し、そのタイミング情報を逆拡散手段に通知する検出手段と、受け付けたタイミング情報をもとにして、変換手段からの信号に対して指定された符号にて逆拡散を行う逆拡散手段と、該逆拡散処理後の信号から基地局ごとのＴＰＣのシンボルデータと同じ時間軸上でチャネル推定を実施済みのＣＰＩＣＨのシンボルデータを判定手段に送る合成手段と、受け付けたＣＰＩＣＨのシンボルデータが正しいシンボル位置にいるかを判定し、正しい位置にいる場合のみ有効ＴＰＣデータとして判断する判定手段と、変換手段における送信電力を、判定手段から受け付けた判定手段により決定されたＴＰＣ結果に沿った送信電力となるように制御する送信電力制御手段と、を備える。【００１１】
本発明の通信端末装置は、複数の基地局からＴＰＣとＤＰＣＨとを内包している信号を無線受信するとともに、可変自在な送信電力で信号を基地局に無線送信する、通信端末装置であって、本発明の無線通信システムを有する。【００１２】
本発明の第一の無線通信方法は、複数の基地局からＴＰＣとＣＰＩＣＨとを内包している信号を無線受信するとともに、可変自在な送信電力で信号を基地局に無線送信する、通信端末装置の無線通信方法であって、受信信号からパスタイミングのタイミング情報を検出し、検出されたタイミング情報と受信信号に対応して指定される符号とに基づいて受信信号を逆拡散し、逆拡散された受信信号から、基地局ごとのＴＰＣのシンボルデータと同じ時間軸上でのチャネル推定により、ＣＰＩＣＨのシンボルデータを抽出し、抽出されたＣＰＩＣＨのシンボルデータが所定の判定領域にあるかにより対応するＴＰＣが有効か無効かを判定し、有効と判定されたＴＰＣに対応して送信電力を制御する。【００１３】
本発明の第二の無線通信方法は、複数の基地局からＴＰＣとＤＰＣＨとを内包している信号を無線受信し、可変自在な送信電力で信号を基地局に無線送信する、通信端末装置の無線通信方法であって、受信信号からパスタイミングのタイミング情報を検出し、検出されたタイミング情報と受信信号に対応して指定される符号とに基づいて受信信号を逆拡散し、逆拡散された受信信号から、基地局ごとのＴＰＣのシンボルデータと同じ時間軸上でのチャネル推定により、ＤＰＣＨのパイロットシンボルを抽出し、抽出されたＤＰＣＨのパイロットシンボルが所定の判定領域にあるかにより対応するＴＰＣが有効か無効かを判定し、有効と判定されたＴＰＣに対応して送信電力を制御する。【００１４】
本発明の第三の無線通信方法は、変換手段が受信した信号に対してＡ／Ｄ変換を行うステップと、検出手段がＡ／Ｄ変換後の信号を所定の回路に入力し正しいパスタイミングを検出し、そのタイミング情報を逆拡散手段に通知するステップと、逆拡散手段が受け付けたタイミング情報をもとにして、変換手段からの信号に対して指定された符号にて逆拡散を行うステップと、合成手段が該逆拡散処理後の信号から基地局ごとのＴＰＣのシンボルデータと同じ時間軸上でチャネル推定を実施済みのＣＰＩＣＨのシンボルデータを判定手段に送るステップと、判定手段が受け付けたＣＰＩＣＨのシンボルデータが正しいシンボル位置にいるかを判定し、正しい位置にいる場合のみ有効ＴＰＣデータとして判断するステップと、送信電力制御手段が変換手段における送信電力を、判定手段から受け付けた判定手段により決定されたＴＰＣ結果に沿った送信電力となるように制御するステップと、を有する。【００１５】
本発明の第一のコンピュータプログラムは、複数の基地局からＴＰＣとＣＰＩＣＨとを内包している信号を無線受信するとともに、可変自在な送信電力で信号を基地局に無線送信する、通信端末装置のためのコンピュータプログラムであって、受信信号からパスタイミングのタイミング情報を検出する検出処理と、検出されたタイミング情報と受信信号に対応して指定される符号とに基づいて受信信号を逆拡散する逆拡散処理と、逆拡散された受信信号から、基地局ごとのＴＰＣのシンボルデータと同じ時間軸上でのチャネル推定により、ＣＰＩＣＨのシンボルデータを抽出する合成処理と、抽出されたＣＰＩＣＨのシンボルデータが所定の判定領域にあるかにより対応するＴＰＣが有効か無効かを判定する判定処理と、有効と判定されたＴＰＣに対応して送信電力を制御する送信電力制御処理と、を通信端末装置に実行させる。【００１６】
本発明の第二のコンピュータプログラムは、複数の基地局からＴＰＣとＤＰＣＨとを内包している信号を無線受信するとともに、可変自在な送信電力で信号を基地局に無線送信する、通信端末装置のためのコンピュータプログラムであって、受信信号からパスタイミングのタイミング情報を検出する検出処理と、検出されたタイミング情報と受信信号に対応して指定される符号とに基づいて受信信号を逆拡散する逆拡散処理と、逆拡散された受信信号から、基地局ごとのＴＰＣのシンボルデータと同じ時間軸上でのチャネル推定により、ＤＰＣＨのパイロットシンボルを抽出する合成処理と、抽出されたＤＰＣＨのパイロットシンボルが所定の判定領域にあるかにより対応するＴＰＣが有効か無効かを判定する判定処理と、有効と判定されたＴＰＣに対応して送信電力を制御する送信電力制御処理と、を通信端末装置に実行させる。【００１７】
本発明の第三のコンピュータプログラムは、通信端末装置のコンピュータに、本発明の無線通信システムの機能を実現する処理を実行させるプログラムを提供する。
【発明の効果】
【００１８】
本発明によれば、信頼性の低いＴＰＣを判定対象から外すことにより正しい電力制御を行うことが可能になり、接続維持能力の低下を防止することができる。
【図面の簡単な説明】
【００１９】
上述した目的、およびその他の目的、特徴および利点は、以下に述べる好適な実施の形態、およびそれに付随する以下の図面によってさらに明らかになる。
【図１】本発明の第１の実施形態における無線通信システムの構成を示す図である。
【図２】本発明の第１の実施形態における処理動作を示すフローチャートである。
【図３】本発明の第１の実施形態における有効判定位置設定を示す図である。
【図４】本発明の第２の実施形態における処理動作を示すフローチャートである。
【図５】本発明の第２の実施形態における有効判定位置設定を示す図である。
【発明を実施するための最良の形態】
【００２０】
以下、本発明の第１の実施の形態について図面を参照して詳細に説明する。本実施の形態の無線通信システムは通信端末装置に内蔵されている。この通信端末装置は、複数の基地局からＴＰＣとＣＰＩＣＨとを内包している信号を無線受信するとともに、可変自在な送信電力で信号を基地局に無線送信する。【００２１】
本実施の形態の無線通信システムは、受信信号からパスタイミングのタイミング情報を検出する検出手段であるパスサーチ回路１０３と、検出されたタイミング情報と受信信号に対応して指定される符号とに基づいて受信信号を逆拡散する逆拡散手段である逆拡散部１０４と、逆拡散された受信信号から、基地局ごとのＴＰＣのシンボルデータと同じ時間軸上でのチャネル推定により、ＣＰＩＣＨのシンボルデータを抽出する合成手段である合成部１０５と、抽出されたＣＰＩＣＨのシンボルデータが所定の判定領域にあるかにより対応するＴＰＣが有効か無効かを判定する判定手段であるＴＰＣ判定部１０６と、有効と判定されたＴＰＣに対応して送信電力を制御する送信電力制御手段である送信電力制御部１０７と、を有する。【００２２】
より詳細には、図１を参照すると、本実施の形態における通信端末装置の無線通信システムは、アンテナ１０１と、ＲＦ部１０２と、パスサーチ回路１０３と、逆拡散部１０４−１〜１０４−ｎ（ｎは任意の正の整数）と、合成部１０５と、ＴＰＣ判定部１０６と、送信電力制御部１０７と、拡散部１０８から構成されている。【００２３】
ＲＦ部１０２は、アンテナ１０１を介して受信された信号に対してＡ／Ｄ変換を行う機能を有している。【００２４】
パスサーチ回路１０３は、変換後の信号について正しいパスタイミングの受信タイミングを検出する機能を有している。【００２５】
逆拡散部１０４−１〜１０４−ｎは、そのタイミング情報にあわせてＲＦ１０２からの信号に定められた符号を掛け合わせる機能を有している。【００２６】
合成部１０５は、逆拡散処理後の信号から各基地局のＴＰＣシンボルデータとＣＰＩＣＨのシンボルデータをＴＰＣ判定部１０６に送る機能を有している。【００２７】
ＴＰＣ判定部１０６は、ＣＰＩＣＨのシンボルデータの位置から各基地局からのＴＰＣが正しく報告されているかを判断し有効なＴＰＣであるかを判断する機能を有している。【００２８】
送信電力制御部１０７は、ＴＰＣ結果に沿った送信電力となるようにＲＦ部１０２における送信電力を制御する機能を有している。【００２９】
上述のような構成において、本実施の形態の通信端末装置の無線通信システムによる無線通信方法では、受信信号からパスタイミングのタイミング情報を検出する。つぎに、検出されたタイミング情報と受信信号に対応して指定される符号とに基づいて受信信号を逆拡散する。【００３０】
つぎに、逆拡散された受信信号から、基地局ごとのＴＰＣのシンボルデータと同じ時間軸上でのチャネル推定により、ＣＰＩＣＨのシンボルデータを抽出する。つぎに、抽出されたＣＰＩＣＨのシンボルデータが所定の判定領域にあるかにより対応するＴＰＣが有効か無効かを判定する。そして、有効と判定されたＴＰＣに対応して送信電力を制御する。【００３１】
より詳細には、図１、図２を参照して本実施の形態の動作について以下に説明する。但し、前提条件として本システムはＷＣＤＭＡ通信を行う基地局と通信端末装置間の動作であるとする。【００３２】
まず、対象基地局から送信された信号は、アンテナ１０１を介してＲＦ部１０２に入る。この受信された受信信号はＲＦ部１０２により、Ａ／Ｄ変換等の処理が行われる。【００３３】
Ａ／Ｄ変換処理後の信号はパスサーチ回路１０３と逆拡散部１０４−１〜１０４−ｎに入力される。【００３４】
パスサーチ回路１０３では基地局より送信された信号を逆拡散部１０４−１〜１０４−ｎへのタイミング割り当て用に演算を行い、演算後、逆拡散部１０４に通知する。【００３５】
逆拡散部１０４−１〜１０４−ｎはパスサーチ回路１０３より指定されたタイミングに合わせて定められた符号を受信信号に掛け合わせて逆拡散処理を行う。【００３６】
逆拡散処理された受信信号は、合成部１０５に送られる。【００３７】
各逆拡散部から信号を受け取った合成部１０５は、ＴＰＣのシンボルデータとＣＰＩＣＨのシンボルデータを基地局ごとに分けて合成しＴＰＣ判定部１０６へ通知する（Ａ１）。【００３８】
シンボルデータを受け取ったＴＰＣ判定部１０６は一つの基地局に対してのＣＰＩＣＨのシンボルデータがＩＱ平面上にて何処の位置に存在しているかを確認する（Ａ２）。この位置がＩＱ平面上の第一象限に存在するときは、現在判定している基地局のＴＰＣは有効なものであると判断し有効なＴＰＣとして判定対象に加える。位置が第一象限以外に存在するときはＴＰＣが誤っている可能性が高いので有効なＴＰＣとして判定対象に加えない（Ａ３、Ａ４）。【００３９】
ここで対象となる基地局すべてのＴＰＣ判定を終えていなければＡ２へ戻り完了するまで繰り返す（Ａ５）。【００４０】
全基地局の判定を完了後、ステップＡ４にて決定した有効なＴＰＣが存在するときは、その有効なＴＰＣのみで最終的にＵＰ/ＤＯＷＮの判断を行い送信電力制御部１０７に結果を報告する（Ａ６→Ａ８）。【００４１】
ステップＡ４にて決定した有効なＴＰＣが一つも存在しない場合は対象となっていたすべてのＴＰＣを有効と判定しなおして、最終的にＵＰ/ＤＯＷＮの判断を行い送信電力制御部１０７に結果を報告する（Ａ６→Ａ７→Ａ８）。【００４２】
以上の制御により、誤っている可能性の高いＴＰＣを送信電力の判定対象から外すことにより各基地局からの送信されるＴＰＣを信頼性のあるものについてのみ使用することが可能となり、誤った電力制御を行わないことにより接続維持能力の低下や他ユーザーへの干渉、過剰な通信端末装置の消費電流の増大を防ぐことが可能となる。【００４３】
なお、ＴＰＣとＣＰＩＣＨの各シンボルデータはチャネル推定を実施しその補正を加えたもので象限判定を実施するものとする。また、合成部１０５からＴＰＣ判定部１０６に送られるＣＰＩＣＨのシンボルデータは送信ダイバーシチ時においてはアンテナ２からシンボルデータがＩＱ平面上にて第三象限で送信される場合もある。この場合は第一象限に補正を実施後、アンテナ１と合成してからＴＰＣ判定部１０６に送信しているものとする。【００４４】
ここで、本実施の形態の拡張例を示す。まず、ＴＰＣ判定部１０６（Ａ２、Ａ３）においてＣＰＩＣＨのシンボルデータから象限位置を確認して第一象限であれば有効と判断しているが、象限判定ではなく図３のように判定位置を変更することも可能とし、有効判定位置設定に制限は無いものとしてもよい。【００４５】
また、図１の逆拡散部１０４の数は設計上で自由に増減できることであってもよい。【００４６】
また、通信端末装置にＴＰＣを送る基地局は１局とは限らず、この数に制限は無くてもよい。【００４７】
また、ＣＰＩＣＨのシンボルデータはＴＰＣと同じ時間軸上にあるものとしたが信頼性を高めるために一定区間平均化したものでも可能とし、この平均区間に制限は無くてもよい。【００４８】
上記の本実施の形態によれば、信頼性の低いＴＰＣを判定対象から外すことにより正しい電力制御を行うことが可能になり、接続維持能力の低下を防止することができる。【００４９】
また、信頼性の低いＴＰＣを判定対象から外すことにより正しい電力制御を行うことが可能になり、他ユーザーへの干渉を防止することができる。【００５０】
また、信頼性の低いＴＰＣを判定対象から外すことにより正しい電力制御を行うことが可能になり、過剰な通信端末装置の消費電流の増大を防止することができる。【００５１】
次に、本発明の第２の実施の形態について図４を参照して詳細に説明する。【００５２】
図４を参照すると、本実施の形態は、上記の第１の実施の形態に関する図２と比較して、ステップＡ６においてすべてのＴＰＣが無効と判断された場合にすべてのＴＰＣを有効と判定してしまうのではなく、再度ステップＡ３での象限判定よりも条件が甘い判定で有効ＴＰＣを再判定する点が追加されている。【００５３】
詳細動作としては、図４においてステップＡ６までの動作は上記の第１の実施の形態と同様であり、重複する説明は省略する。【００５４】
本実施の形態ではステップＡ２〜Ａ４にて実施したＴＰＣの判定結果がすべて無効である場合、ステップＡ２で取得したＣＰＩＣＨのシンボル位置からステップＡ３で判定した判定条件よりも緩い判定でＴＰＣの有効性を再判定する（Ｂ１、図５参照）。【００５５】
このシンボル位置を有効と判断するときは、現在判定している基地局のＴＰＣは有効なものであると判断し、有効なＴＰＣとして判定対象に加える。シンボル位置を無効と判断するときは極めてＴＰＣが誤っている可能性が高いので有効なＴＰＣとして判定対象に加えない（Ｂ１、Ｂ２）。【００５６】
ここで対象となる基地局すべてのＴＰＣ判定を終えていなければＢ１へ戻り完了するまで繰り返す（Ｂ３）。【００５７】
全基地局の判定を完了後、ステップＢ２にて決定した有効なＴＰＣが存在するときは、その有効なＴＰＣのみで最終的にＵＰ/ＤＯＷＮの判断を行い送信電力制御部１０７に結果を報告する（Ｂ４→Ａ８）。【００５８】
ステップＢ２にて決定した有効なＴＰＣが一つも存在しない場合は対象となっていたすべてのＴＰＣを有効と判定し直して、最終的にＵＰ/ＤＯＷＮの判断を行い送信電力制御部１０７に結果を報告する（Ｂ４→Ｂ５→Ａ８）。【００５９】
なお、２段階でＴＰＣの判定領域を分けているがこの段階分けに制限は無いものとする。【００６０】
以上の処理（Ｂ１〜Ｂ５）を上記の第１の実施の形態に盛り込むことにより、ＴＰＣの信頼性を段階的に有効性の判断することが可能となり、極めて信頼性の低いＴＰＣについてのみ送信電力の判定から外すことを可能とする。【００６１】
なお、上述する各実施の形態は、本発明の好適な実施の形態であり、本発明の要旨を逸脱しない範囲内において種々変更実施が可能である。例えば、上記形態の無線通信システムでは、ＣＰＩＣＨのシンボルデータにて信頼性の判断を実施しているが、これをＤＰＣＨ(Dedicated Physical Channel)のパイロットシンボルにて実施してもよい。【００６２】
その場合、無線通信システムは、受信信号からパスタイミングのタイミング情報を検出する検出手段と、検出されたタイミング情報と受信信号に対応して指定される符号とに基づいて受信信号を逆拡散する逆拡散手段と、逆拡散された受信信号から、基地局ごとのＴＰＣのシンボルデータと同じ時間軸上でのチャネル推定により、ＤＰＣＨのパイロットシンボルを抽出する合成手段と、抽出されたＤＰＣＨのパイロットシンボルが所定の判定領域にあるかにより対応するＴＰＣが有効か無効かを判定する判定手段と、有効と判定されたＴＰＣに対応して送信電力を制御する送信電力制御手段と、を備えればよい(図示せず)。【００６３】
また、上記形態では無線通信システムの各部が専用のハードウェアで実現されていることを想定した。しかし、上記の実施の形態における無線通信システムの機能を実現するためのプログラムを各部に読込ませて実行することにより各部の機能を実現する処理を行ってもよい。【００６４】
その場合、コンピュータプログラムは、例えば、受信信号からパスタイミングのタイミング情報を検出する検出処理と、検出されたタイミング情報と受信信号に対応して指定される符号とに基づいて受信信号を逆拡散する逆拡散処理と、逆拡散された受信信号から、基地局ごとのＴＰＣのシンボルデータと同じ時間軸上でのチャネル推定により、ＣＰＩＣＨのシンボルデータを抽出する合成処理と、抽出されたＣＰＩＣＨのシンボルデータが所定の判定領域にあるかにより対応するＴＰＣが有効か無効かを判定する判定処理と、有効と判定されたＴＰＣに対応して送信電力を制御する送信電力制御処理と、を通信端末装置に実行させるように記述されていればよい。【００６５】
さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。
【図１】
2007099699.tif 000003
【図２】
2007099699.tif 000004
【図３】
2007099699.tif 000005
【図４】
2007099699.tif 000006
【図５】
2007099699.tif 000007
【国際調査報告】
2007099699.tif 000008
2007099699.tif 000009